(57)【要約】【課題】透光体を介して光を放出する照明環境を実現できるとともに、メンテナンスが容易な内照式照明装置を提供する。【解決手段】上部構造と下部構造の間に設けられる内照式設備であって、上部構造と下部構造の間に固定された正面パネル１０と、正面パネル１０を照光する発光体Ｌ１と、上部構造と下部構造の間に、発光体Ｌ１の後方の後板２４と、発光体Ｌ１の両側の側面板２２，２３と、両側の側面板２２，２３の上端部を連結する上面板２１と、両側の側面板２２，２３の下端部を連結する底板２５とを有する発光体収納箱２０とを備え、発光体収納箱２０を、正面パネル１０の後方で、水平方向にスライド可能に設けた。【選択図】図１
2020181780.tif 000002
【特許請求の範囲】
【請求項１】
上部構造と下部構造との間に設けられる内照式設備であって、
前記上部構造と前記下部構造との間に固定された透光体と、
前記透光体を照光する発光体と、
前記上部構造と前記下部構造との間に、前記発光体の後方の後板と、前記発光体の両側の側面板と、前記両側の側面板の上端部を連結する上面板と、前記両側の側面板の下端部を連結する底板とを有する箱体とを備え、
前記箱体を、前記透光体の後方で、水平方向にスライド可能に設けたことを特徴とする内照式設備。
【請求項２】
前記側面板には、反射材を設けたことを特徴とする請求項１に記載の内照式設備。
【請求項３】
前記側面板には、前記透光体との隙間からの光を遮蔽する遮光材を設けたことを特徴とする請求項１又は２に記載の内照式設備。
【請求項４】
前記箱体を水平方向にスライドさせるために、前記上部構造に設けた上部ガイドを摺動するローラーを、更に設けたことを特徴とする請求項１〜３の何れか１項に記載の内照式設備。
【請求項５】
前記箱体を水平方向にスライドさせるために、前記下部構造に設けた下部ガイドを摺動するローラーを、更に設けたことを特徴とする請求項１〜４の何れか１項に記載の内照式設備。
【請求項６】
前記発光体の発光面と前記透光体とが平行になるようにバランスウエイトを設けたことを特徴とする請求項１〜５の何れか１項に記載の内照式設備。
【発明の詳細な説明】
【技術分野】
【０００１】
本発明は、面状発光パネルを用いた内照式設備に関する。
【背景技術】
【０００２】
大きな領域を照らすために、有機ＥＬ（Organic Electroluminescence）等を利用した面状発光の照明装置が検討されている（例えば、特許文献１）。この文献に記載された内照式照明装置は、相互の間に隙間領域を有するように配置された複数の面状発光パネルと、複数の面状発光パネルへの電力供給を制御する駆動回路基板と、複数の面状発光パネルと対向する位置に配置され、面状発光パネルから照射される光を受ける照明パネルとを備える。更に、隙間領域に配置され、面状発光パネルから照射された光を照明パネル側に反射する光学部材を備える。駆動回路基板は、光学部材によって覆われるように隙間領域に配置されている。
【先行技術文献】
【特許文献】
【０００３】
【特許文献１】特開２０１５−２０４１号公報
【発明の概要】
【発明が解決しようとする課題】
【０００４】
内照式照明装置は、比較的小型の内照式看板等に用いられることが多い。一方、この内照式照明装置を照明器具に用いる場合、正面パネルを大きくする。ここで、正面パネルとして、人工大理石を用いると、その模様を浮き出させることができ、意匠性を高めることができる。例えば、床から天井までの高さで内照式照明装置を用いると、正面パネルが大きくなる。しかしながら、内照式照明装置の場合、発光体のメンテナンスのために、内照式照明装置の本体から正面パネルを分離する必要がある。特に、正面パネルとして大面積の人工大理石を用いた場合、重量、サイズが大きくなり、移動が難しく、正面パネルの背面に設けた発光体のメンテナンスが困難になる。
【課題を解決するための手段】
【０００５】
上記課題を解決するための内照式設備は、上部構造と下部構造の間に設けられる。そして、前記上部構造と前記下部構造の間に固定された透光体と、前記透光体を照光する発光体と、前記上部構造と前記下部構造の間に、前記発光体の後方の後板と、前記発光体の両側の側面板と、前記両側の側面板の上端部を連結する上面板と、前記両側の側面板の下端部を連結する底板とを有する箱体とを備え、前記箱体を、前記透光体の後方で、水平方向にスライド可能に設けたことを特徴とする。
【発明の効果】
【０００６】
本発明は、透光体を介して光を放出する照明環境を実現できるとともに、メンテナンスが容易な内照式設備を提供する。
【図面の簡単な説明】
【０００７】
【図１】本実施形態の内照式設備の斜視図。
【図２】本実施形態の内照式設備の側面断面図。
【図３】本実施形態の発光体収納箱の正面図。
【図４】本実施形態の発光体収納箱の背面図。
【図５】本実施形態の発光体収納箱の平面断面図。
【図６】本実施形態の内照式設備の斜視図。
【発明を実施するための形態】
【０００８】
図１〜図６を用いて、本実施形態の内照式設備を説明する。
図１に示すように、この内照式設備Ｕ１は、透光体の背面において、発光体としてのＬＥＤを点灯させて、正面パネル１０を介して照明を行なう。
【０００９】
正面パネル１０としては、人工大理石製パネルを用いる。人工大理石製パネルとしては、例えば、コーリアン（登録商標）を用いることができる。この正面パネル１０は背面からの光を、所定の透過率で透過させることにより、前面側を照らす。例えば、人工大理石製パネルの裏面を刻設した凹凸のパターンにより、正面パネル１０に模様を付すことができる。本実施形態では、正面パネル１０は、幅７００ｍｍ、高さ２６５５ｍｍ、厚さ１０ｍｍの人工大理石製パネルに対して、厚さ１０ｍｍのアクリル板で裏打ちされたパネルを用いる。
【００１０】
図２は、内照式設備Ｕ１の側面の断面図である。
この正面パネル１０は、建物躯体の梁Ｃ１（上部構造体）と床Ｆ１（下部構造体）の間に配置される。そして、正面パネル１０の上部は、梁Ｃ１に固定された保持部Ｈ１及び上部固定部材１１によって固定される。正面パネル１０の下部は、下部固定部材１２によって床Ｆ１に固定される。上部固定部材１１、下部固定部材１２は、正面パネル１０を、板状部材で挟持する。
【００１１】
図１に示すように、正面パネル１０の背面には、発光体収納箱２０が設けられている。この発光体収納箱２０は、上面板２１、側面板２２，２３、底板２５、背面板２６により構成されている。側面板２２，２３は、前面から向かってそれぞれ左側、右側に配置されている。側面板２２，２３の上端部は、上面板２１で連結されており、側面板２２，２３の下端部は、底板２５で連結されている。側面板２２，２３の高さは約２５８０ｍｍであり、幅（奥行）は約１５５ｍｍである。そして、発光体収納箱２０の正面パネル１０側の前面は開口されている。
更に、発光体収納箱２０の内部には、正面パネル１０と平行して後板２４が立設される。この後板２４は、側面板２２，２３に沿う側面部を有し、この側面部で側面板２２，２３に固定される。図１では、後板２４において正面パネル１０に平行な領域のみを示しており、前面から１３６ｍｍだけ奥まった位置に配置される。
【００１２】
図３は、発光体収納箱２０の正面図である。後板２４には、複数の発光体Ｌ１が、上端から下端に亘って、上下左右に均等な間隔で全体的に分散して配置される。発光体Ｌ１に電力を供給する配線（図では破線で示す）は、配線用穴ＨＬ１を介して、後板２４の背面に設置された電源ユニットＰＵ１（後述）に接続される。この配線用穴ＨＬ１には、ケーブルを保護する目的で、難燃性グロメットが取り付けられている。そして、上面板２１、側面板２２，２３、後板２４、底板２５は、前面が開口された箱体を構成し、発光体Ｌ１の光が周囲に漏れないように遮光する。更に、箱体を構成する上面板２１、側面板２２，２３、底板２５からなる発光体収納箱２０の内部空間側の全面には、反射材が貼付されている。
【００１３】
本実施形態では、発光体Ｌ１として、９４ｍｍ角の面発光型の有機ＬＥＤ素子を用いる。具体的には、定格入力電圧２４Ｖ、定格入力電流１００ｍＡを用いる。面内平均輝度は、２７００〜３６００ｃｄ／ｍ^2である。
【００１４】
図１に示すように、側面板２２，２３には、それぞれ、遮蔽板２２１，２３１が設けられており、遮光材として機能する。
図５の水平断面図に示すように、遮蔽板２２１，２３１は、鉛直方向に配置された弾性体（平ゴム２２２，２３２）及び側面板２２，２３により支持される。遮蔽板２２１，２３１及び平ゴム２２２，２３２は、後板２４の前面近傍の側面部との間で挟持される。遮蔽板２２１，２３１は、側面板２２，２３の構成材よりも、比較的に柔軟な材料で構成する。この遮蔽板２２１，２３１は、側面板２２，２３と正面パネル１０の隙間を埋める形状で配置される。そして、遮蔽板２２１，２３１が正面パネル１０に接触した場合にも、正面パネル１０を傷付けないようにクッション材として機能する。
【００１５】
上面板２１の上側には、ローラー２１１が配置される。本実施形態では、ローラー２１１を、上面板２１の上面であって、後板２４と背面板２６との間の上方に設ける。
図２に示すように、ローラー２１１は、梁Ｃ１に固定された保持部Ｈ２に支持されたガイドレールＧ１（上部ガイド）を摺動する。これにより、発光体収納箱２０は、梁Ｃ１に吊り下げられ、ガイドレールＧ１に沿って、水平移動する。
【００１６】
更に、発光体収納箱２０の下方において、後板２４と背面板２６との間は、ローラー受２６１（下部ガイド）が設けられている。このローラー受２６１は、床に固定されたローラー２６２を摺動する。
図５に示すように、本実施形態では、発光体収納箱２０を正面パネル１０の背面に設置した場合、ローラー２６２は、正面パネル１０に向かって、正面パネル１０の左端に設置されている。これにより、図１に示すように、ローラー２６２をローラー受２６１内で摺動させて、発光体収納箱２０を左側にスライドさせることができる。
【００１７】
そして、ローラー受２６１の水平方向の端部は、ネジ止めされた蓋２６３により閉鎖される。なお、メンテナンス時には、この蓋２６３のネジ止めを外すことにより、ローラー受２６１とローラー２６２とを分離することができる。
【００１８】
図４は、発光体収納箱２０の背面図である。背面板２６の下方中央部には丸落とし２５１が設けられている。発光体収納箱２０を正面パネル１０の背面に配置した場合に、丸落とし２５１を、床Ｆ１に設けられた受け孔ｆ１１に嵌合させる。これにより、発光体収納箱２０の位置を固定する。
【００１９】
また、発光体収納箱２０には、電圧や電流を調整する電源ユニットＰＵ１が配置される。電源ユニットＰＵ１としては、複数の発光体Ｌ１に電力を供給するために、商用電圧（１１５Ｖ）入力、定格入力電流が1.1Ａであり、定格出力電圧が２４Ｖ、最大出力電流４Ａの電源装置を用いる。
【００２０】
更に、後板２４と背面板２６との間には、この電源ユニットＰＵ１の他に、発光体Ｌ１に電力を供給する配線や、商用電源からの配線等が設けられる。
背面板２６の背面側には、板状のバランスウェイト３０が固定される。このバランスウェイト３０は、発光体収納箱２０が鉛直方向に立設し、発光体Ｌ１の発光面と正面パネル１０とが平行になるように、ローラー２１１に対して正面パネル１０側（前面側）の重量と、電源設備側（後面側）の重量とのバランスを調節する。
【００２１】
内照式設備Ｕ１を利用する場合には、ローラー受２６１をローラー２６２に係合させた状態で、ローラー２１１をガイドレールＧ１に沿わせて、発光体収納箱２０を水平移動させる。
【００２２】
（作用）
図６に示すように、正面パネル１０の背面に、発光体収納箱２０をスライドさせて配置することができる。人工大理石製パネルを移動させることなく、メンテナンスや照明を行なうことができる。この場合、正面パネル１０と発光体収納箱２０の側面は、遮蔽板２２１，２３１によって封鎖されるので、周囲に対して正面パネル１０の模様を浮き出させることができる。
【００２３】
本実施形態によれば、以下のような効果を得ることができる。
（１）本実施形態では、正面パネル１０の背面に、複数の発光体Ｌ１を備えた発光体収納箱２０を配置する。これにより、発光体収納箱２０の上面板２１、側面板２２，２３、後板２４、底板２５により、複数の発光体Ｌ１が等間隔で配置された領域を囲み、正面パネル１０以外から周囲への光の漏れを抑制し、正面パネル１０を強調させることができる。そして、複数の発光体Ｌ１の光により、正面パネル１０の模様を浮き出させながら、前面に光を放出し、居心地のよい照明環境を実現することができる。
【００２４】
（２）本実施形態では、後板２４には、上端から下端に亘って、上下左右に均等な間隔で全体的に発光体Ｌ１が配置される。特に、発光体Ｌ１として有機ＬＥＤ素子を用いる場合、大型の正面パネル１０全体に亘ってほぼ均質な明るさで投光できる。従って、人工大理石製パネルの裏面に、凹凸パターンが刻設されている場合にも、正面パネル１０の後方全面から投光できるため、凹凸による影等による明るさのむらを抑制し、正面パネル１０の模様を浮き出させることができる。
【００２５】
（３）本実施形態では、正面パネル１０は、建物躯体の梁Ｃ１と床Ｆ１の間に固定される。発光体収納箱２０は、ローラー２１１を介して、梁Ｃ１に支持されたガイドレールＧ１に係合する。これにより、正面パネル１０を移動させることなく、発光体Ｌ１を外部に露出させることができる。
更に、発光体収納箱２０の下方において、後板２４と背面板２６との間は、ローラー受２６１が設けられている。発光体収納箱２０の上側と下側とをローラーで摺動することにより、安定してスライドさせることができる。
【００２６】
（４）本実施形態では、側面板２２，２３には、それぞれ、弾性体により支持された遮蔽板２２１，２３１を設ける。これにより、正面パネル１０と側面板２２，２３との隙間からの光の漏れを抑制することができる。
【００２７】
（５）本実施形態では、発光体収納箱２０の上面板２１、側面板２２，２３、底板２５には、反射材が貼付されている。反射材により、端部における照度の低下を抑制し、照度の平準化を図ることができる。
【００２８】
（６）本実施形態では、発光体収納箱２０の背面板２６の下方中央部には、丸落とし２５１が設けられている。これにより、発光体収納箱２０を、正面パネル１０の背面で固定することができる。
【００２９】
（７）本実施形態では、発光体収納箱２０の背面板２６の背面側には、板状のバランスウェイト３０が固定される。これにより、発光体収納箱２０を鉛直方向に立設させることができる。
【００３０】
本実施形態は、以下のように変更して実施することができる。本実施形態及び以下の変更例は、技術的に矛盾しない範囲で互いに組み合わせて実施することができる。
・上記実施形態では、ローラー２１１を、発光体収納箱２０の背面板２６に近い領域に設ける。発光体収納箱２０を鉛直方向に立設させることができれば、ローラー２１１の配置は、これに限定されるものではない。
また、発光体収納箱２０をスライドさせる場合、ローラー２１１、ローラー２６２を用いる。スライドさせるための機構は、これらに限定されるものではなく、例えば、何れか一方を用いてもよい。
【００３１】
・上記実施形態では、正面パネル１０は、建物躯体の梁Ｃ１と床Ｆ１の間に配置される。上部構造体や下部構造体は、梁Ｃ１、床Ｆ１に限定されるものではない。
・上記実施形態では、正面パネル１０として、人工大理石製パネルを用いる。正面パネル１０は、これに限定されるものではない。発光体の光を透過する素材を利用することができる。
【００３２】
・上記実施形態では、発光体Ｌ１として、９４ｍｍ角の面発光型の有機ＬＥＤ素子を用いる。発光体Ｌ１は、有機ＬＥＤ素子に限定されるものではない。例えば、蛍光灯等の発光体を利用することができる。また、発光体の配置も実施形態に限定されるものではない。
・上記実施形態では、内照式設備Ｕ１を照明器具として用いた。用途は、照明器具に限定されるものではなく、大型の看板等に用いることも可能である。
【００３３】
・上記実施形態では、発光体収納箱２０の上面板２１、側面板２２，２３、底板２５には、反射材が貼付されている。面積が大きい領域に反射材が貼付されていれば、全面である必要はない。例えば、少なくとも側面板２２，２３に反射材が貼付されていればよい。
【符号の説明】
【００３４】
Ｕ１…内照式設備、Ｌ１…発光体、Ｇ１…ガイドレール、ＰＵ１…電源ユニット、１０…正面パネル、１１…上部固定部材、１２…下部固定部材、２０…発光体収納箱、２１…上面板、２１１…ローラー、２２，２３…側面板、２２１，２３１…遮蔽板、２２２，２３２…平ゴム、２４…後板、２５…底板、２６…背面板、２６１…ローラー受、２６２…ローラー。
【図１】
2020181780.tif 000003
【図２】
2020181780.tif 000004
【図３】
2020181780.tif 000005
【図４】
2020181780.tif 000006
【図５】
2020181780.tif 000007
【図６】
2020181780.tif 000008